(57)【要約】【課題】  容易にカメラ撮影に適した姿勢を得ることのできる携帯端末を提供する。【解決手段】  第１筐体２０と第２筐体３０とは、両筐体２０、３０間の回動軸４１に沿って設けられた第３筐体４０によって回動自在に支持されるとともに、第１筐体２０は回動軸４１に直交する第１連結軸２１によって第３筐体４０により回動自在に支持され、第２筐体３０は回動軸４１に直交する第２連結軸３１によって第３筐体４０に回動自在に支持されている。従って、第１筐体２０と第２筐体３０とは第３筐体４０を挟んで任意の角度に回動することができ、右利きの人および左利きの人に対して、容易に操作に適する姿勢をとることができる。【選択図】  図１
2006086811.tif 000002
【特許請求の範囲】
【請求項１】
互いに隣接する第１筐体および第２筐体の境界線に沿って配置された回動軸と、前記回動軸に沿って設けられた第３筐体と、前記回動軸の径方向に沿って前記第１筐体および前記第３筐体間に架け渡された第１連結軸と、前記回動軸の径方向に沿って前記第２筐体および前記第３筐体間に架け渡された第２連結軸とを備え、
前記第１筐体および前記第２筐体が積層配置される収納状態から、前記第１筐体および前記第２筐体が隣接配置される展開状態まで、前記回動軸を中心として前記第１筐体および前記第２筐体が相対的に回動可能であるとともに、
前記第１筐体、前記第２筐体および前記第３筐体がそれぞれ前記第１連結軸および前記第２連結軸を中心として個別に回動可能であることを特徴とする携帯端末。
【請求項２】
前記収納状態であるとき、前記第１連結軸および前記第２連結軸の挟み角度が０°を越えて９０°未満であることを特徴とする請求項１に記載の携帯端末。
【請求項３】
前記第３筐体に撮像手段が設けられ、前記第３筐体の長手方向一端側にレンズが配置されているとともに、前記第３筐体の長手方向他端側にシャッターボタンが配置されていることを特徴とする請求項１または請求項２に記載の携帯端末。
【発明の詳細な説明】
【技術分野】
【０００１】
本発明は携帯端末に係り、例えば折りたたみ式の携帯電話器等折りたたむことができる携帯端末に関するものである。
【背景技術】
【０００２】
図１１に示すように、従来の携帯端末１００は、表示部１０１を有する第１筐体部１０２と、操作部１０３を有する第２筐体部１０４とを、２つの回転軸１０５ａ、１０５ｂを持つ連結部１０５で連結してある。
表示部１００１を有する第１筐体部は、２つの回転自由度を持つ。レシーバの音声を第１筐体部１０２の両面から発生させることができるように、２つの受話音孔、第１受話部１０６と第２受話部１０７を設けた。表示部１０１を表向きに折りたたんでいる状態から、第１筐体部１０２を開くだけで、速やかに通話状態に移行できるようになっている。
なお、カメラは第２筐体部１０４の側面に設けられている（例えば特許文献１参照）。
【０００３】
従って、第１筐体部１０２と第２筐体部１０４が積層される収納状態から、回動軸１０５ａを中心として第１筐体部１０２と第２筐体部１０４を相対的に略９０°回動させ、次いで連結軸１０５ｂを中心として、第１筐体部１０２を第２筐体部１０４に対して所定角度回転させることにより、表示部１０１に表示される画像を見ながらカメラ撮影に適した姿勢を得ることができる。
【特許文献１】特開２００２−１７１１８９号公報（図１）
【発明の開示】
【発明が解決しようとする課題】
【０００４】
しかしながら、特許文献１に開示されている従来の携帯端末１００においては、カメラ撮影の場合には右手で持って右手で操作するのに適するように構成されているので、左利きの人には写しづらいという問題があった。
【０００５】
本発明は、従来の問題を解決するためになされたもので、容易にカメラ撮影に適した姿勢を得ることのできる携帯端末を提供することを目的とする。
【課題を解決するための手段】
【０００６】
本発明の携帯端末は、互いに隣接する第１筐体および第２筐体の境界線に沿って配置された回動軸と、前記回動軸に沿って設けられた第３筐体と、前記回動軸の径方向に沿って前記第１筐体および前記第３筐体間に架け渡された第１連結軸と、前記回動軸の径方向に沿って前記第２筐体および前記第３筐体間に架け渡された第２連結軸とを備え、前記第１筐体および前記第２筐体が積層配置される収納状態から、前記第１筐体および前記第２筐体が隣接配置される展開状態まで、前記回動軸を中心として前記第１筐体および前記第２筐体が相対的に回動可能であるとともに、前記第１筐体、前記第２筐体および前記第３筐体がそれぞれ前記第１連結軸および前記第２連結軸を中心として個別に回動可能である構成を有している。
【０００７】
この構成により、第１筐体と第２筐体とは、両筐体間の回動軸に沿って設けられた第３筐体によって回動自在に支持されるとともに、第１筐体は回動軸に直交する第１連結軸によって第３筐体により回動自在に支持され、第２筐体は回動軸に直交する第２連結軸によって第３筐体に回動自在に支持されている。
従って、第１筐体と第２筐体とは第３筐体を挟んで任意の角度に回動することができ、右利きの人および左利きの人に対して、容易にカメラ撮影等の操作に適する姿勢をとることができる。
【０００８】
また、本発明にかかる携帯端末は、前記収納状態であるとき、前記第１連結軸および前記第２連結軸の挟み角度が０°を越えて９０°未満である構成を有している。
【０００９】
この構成により、第１筐体と第２筐体とが収納状態にあるときには、第１連結軸と第２連結軸との挟み角度が０°から９０°未満であるので、第１筐体と第２筐体を面上にスライド方向に旋回させようとすると、第３筐体は第１筐体に対して捩れるように回動し、さらに第３筐体に対してと第２筐体が捩れるように回動する。
【００１０】
さらに、本発明にかかる携帯端末は、前記第３筐体に撮像手段が設けられ、前記第３筐体の長手方向一端側にレンズが配置されているとともに、前記第３筐体の長手方向他端側にシャッターボタンが配置されている構成を有している。
【００１１】
この構成により、収納状態にある第１筐体と第２筐体とを相対的に面上でスライド方向に旋回させると、第３筐体が捩れながら回動して、第１筐体と第２筐体とが捩れるので、収納状態から直接撮像姿勢に移ることができる。
なお、面上のスライド旋回の方向を変えることにより、右利きの人でも左利きの人でも好適な姿勢をとることができる。
【発明の効果】
【００１２】
本発明は、第１筐体を回動自在に支持する第１連結軸と、第２筐体を回動自在に支持する第２連結軸とを回動自在に支持する第３筐体を設けるとともに、第１連結軸および第２連結軸を第３筐体に回動自在に設けることにより、第１筐体と第２筐体とは第３筐体を挟んで任意の角度に回動することができる。
これにより、右利きの人および左利きの人に対して、容易にカメラ撮影等の操作に適する姿勢をとることができる。
【発明を実施するための最良の形態】
【００１３】
以下、本発明の実施の形態の携帯端末について、図面を用いて説明する。
図１は本発明の実施の形態にかかる携帯端末の展開状態を示す斜視図、図２は収納状態を示す斜視図、図３は第３筐体の斜視図である。
図１において、携帯端末１０は、互いに隣接する第１筐体２０および第２筐体３０の境界線に沿って配置された回動軸４１と、回動軸４１に沿って設けられた第３筐体４０と、回動軸４１の径方向に沿って第１筐体２０および第３筐体４０間に架け渡された第１連結軸２１（図３参照）と、回動軸４１の径方向に沿って第２筐体３０および第３筐体４０間に架け渡された第２連結軸３１（図３参照）とを備えている。
【００１４】
そして、第１筐体２０および第２筐体３０が積層配置される収納状態（図２参照）から、第１筐体２０および第２筐体３０が隣接配置される展開状態（図１参照）まで、回動軸４１を中心として第１筐体２０および第２筐体３０が相対的に回動可能であるとともに、第１筐体２０、第２筐体３０および第３筐体４０がそれぞれ第１連結軸２１および第２連結軸３１を中心として個別に回動可能となっている。
【００１５】
図１に示すように、第１筐体２０には、内側面２０ａに画像や文字や動画を表示する表示部２２や、発信音や音声を発するスピーカー部２３等が設けられており、外側面２０ｂには副表示部２４が設けられている。
一方、第２筐体３０には、内側面３０ａに数字や文字等を入力するためのキー入力部３２や、音声を入力するためのマイク部３３等が設けられている。
また、図３に示すように、第３筐体４０には撮像手段４２が設けられ、第３筐体４０の長手方向一端側にレンズ４２ａが配置されているとともに、第３筐体４０の長手方向他端側にシャッターボタン４２ｂが配置されている。
【００１６】
図２に示すように、第１筐体２０の内側面２０ａと第２筐体３０の内側面３０ａとが対向して積層状に重ねられた第１の収納状態である場合、第１連結軸２１および第２連結軸３１の挟み角度θは、図４および図５（Ａ）に示すように、０°を越えて９０°未満（０°＜θ＜９０°）となっている。なお、第１連結軸２１および第２連結軸３１は、図５（Ｂ）、（Ｃ）に示すように、共に回動軸４１の長手方向中央において回動軸４１に直交する面内で回動軸４１を中心として回動自在であると共に、第１連結軸２１回りに第１筐体２０が回動自在であり、第２連結軸３１回りに第２筐体３０が回動自在となっている。
このため、第１筐体２０を第１連結軸２１および回動軸４１を含む面内（図５中矢印Ａ方向）にスライド回動させると、この面内において第１連結軸２１は回動軸４１に対して回動できないので、第１連結軸２１の回動に伴って回動軸４１も矢印Ａ方向に回動してようとする。
【００１７】
ところが、回動軸４１は第２連結軸３１と回動軸４１を含む面内においては回動できず且つ第２連結軸３１は第２筐体３０が手に持たれていて移動しないので、図５（Ｃ）に示すように、第３筐体４０は第２連結軸３１を中心として矢印Ｂ方向に回動することになる。
ここで、第１連結軸２１と第２連結軸３１との挟み角θが、０°から９０°未満であるため、回動軸４１は第１連結軸２１を中心とした方向（矢印Ｃ方向）にも回動することになり、第１連結軸２１および第２連結軸３１の両方を中心とした回動を行うことになる。その結果、ワンステップで図７に示すような右手で持つ「片手撮り」状態に移行することができる。
なお、第１筐体２０の旋回方向を逆にすると、逆向きに同様の動きをして左手で持った「片手撮り」とすることができる。
【００１８】
次に、第１筐体２０、第２筐体３０、第３筐体４０の具体的な移動について説明する。
まず、図２に示すような、第１の収納状態では、第１連結軸２１と第２連結軸３１が最も接近しており、このときの挟み角度θが、０°を越えて９０°未満（０°＜θ＜９０°）となっている。この状態で、第１筐体２０と第２筐体３０が完全に積層状態となるので、第１連結軸２１と第２連結軸３１は、これ以上接近しない。
また、このときには、第３筐体４０は、第１筐体２０と第２筐体３０の境界線と一致している。
【００１９】
次に、第１筐体２２と第２筐体３０とを、回動軸４１を中心として回動して第１筐体２０と第２筐体３０とが隣接する展開状態とすると、図１に示すような、通常の通話やメール等を行うための第１の使用状態となる。この状態から第３筐体４０のみを回動させてレンズ４２が手前側に向くようにすると、図６に示すように、自分を撮影しながら操作できる「自分撮り」状態となる。
なお、図示はしないが、レンズ４２が向こう側に向くように第３筐体４０を回動させれば、シャッターボタン４２ｂが手前側に移動して相手を撮りながら操作する「相手撮り」状態となる。
【００２０】
なお、「自分撮り」状態あるいは「相手撮り」状態から、第１筐体２０、第２筐体３０、第３筐体４０を適宜回動させることにより、図７に示すような、片手で撮りながら操作する「片手撮り」状態とすることができる。
図７においては、右手で「片手撮り」を行う状態を示しているが、同様に各筐体２０、３０、４０を適宜に回動させることにより、左手で行う「片手撮り」の状態とすることができる。
【００２１】
また、図１に示した第１の使用状態から、第１筐体２０を第１連結軸２１回りに１８０度回動させると、第１筐体２０の外側面２０ｂが現れるので、この裏返しになった第１筐体２０を回動軸４１を中心として閉じると、図８に示すように、表示部２２を外側に向けた第２の収納状態が得られる。この状態では、収納状態のまま表示部２２に表示されたメールや画像等を見ることができる。
なお、この状態では、第１連結軸２１、第２連結軸３１および回動軸４１との位置関係は、図２に示した第１の使用状態とまったく同じである。
【００２２】
さらに、図８に示した第２の収納状態において、表示部２２を上に向けた状態で第１筐体２０を面内方向にスライドさせると、回動軸４１、第１連結軸２１、第２連結軸３１の位置関係から、一度に図７に示した「片手撮り」状態に移行することができる。
【００２３】
図９（Ａ）〜（Ｄ）には、右手のみを用いて第２の収納状態から「片手撮り」状態に移行する行程が示されている。
まず、右手ＲＨに持って操作する場合について説明する。図９（Ａ）に示すように、第２の収納状態の携帯端末１０の第２筐体３０を右手の掌および親指Ｒ１以外の４本の指で持ち、第１筐体２０の側面に親指Ｒ１の腹を当てる。
なお、右手用の第２の収納状態においては、シャッターボタン４２ｂが右、レンズ４２ａが左に位置するように第３筐体４０の向きをセットしておく。
【００２４】
図９（Ｂ）および（Ｃ）に示すように、右手の親指で第１筐体２０を時計回り（矢印Ａ方向）にスライドするように押す。これにより、第３筐体４０が第２連結軸３１回りに時計方向（矢印Ｂ方向）に回転するが、第２連結軸３１は図５（Ｃ）に示すように傾いているので、第３筐体４０は矢印Ｂ方向に捩れる。
【００２５】
これに伴い、第３筐体４０に設けられているシャッターボタン４２ｂが手前側に移動すると共にレンズ４２ａが向こう側へ移動する。
同時に、第１筐体２０が第１連結軸２１を中心にして時計方向（矢印Ｂ方向）に旋回するが、第１連結軸２１を支持している第３筐体４０が捩れながら旋回しているので、第１筐体２０は矢印Ｃ方向に捩れて表示部２２がこちら（操作者の顔の方向）に向く。
【００２６】
そして、図９（Ｄ）に示すように、第１筐体２０が第２筐体３０に対して略９０°になると、旋回が停止し、図７において前述した「片手撮り」状態に達する。同時に第３筐体４０が第２連結軸３１を中心にして時計方向（矢印Ｃ方向）に旋回する。
【００２７】
一方、左手ＬＨのみで操作する場合の行程が、図１０（Ａ）〜（Ｄ）に示してある。なお、左手ＬＨで操作する場合も前述した右手ＲＨで操作する場合と同様なので、概略のみ説明する。なお、左手用の第２の収納状態においては、シャッターボタン４２ｂが左、レンズ４２ａが右に位置するように第３筐体４０の向きをセットしておく。
【００２８】
図１０（Ａ）に示す第２の収納状態から左手の親指Ｌ１で矢印Ａ方向に旋回させると、図１０（Ｂ）および（Ｃ）に示すように、第３筐体４０が矢印Ｂ方向に捩れて、シャッターボタン４２ｂが手前側へ移動すると共にレンズ４２ａは向こう側へ移動する。同時に第１筐体２０は矢印Ｃ方向に捩れて表示部２２がこちらを向く。
そして、図１０（Ｄ）に示すように、第１筐体２０が第２筐体３０に対して略９０°になると、旋回が停止し、図７において前述した「片手撮り」状態を左手で操作する状態に達する。
【００２９】
前述したように、「片手撮り」状態には、第１筐体２０、第２筐体３０、第３筐体４０を各々適宜に回動させることにより、移行することができるが、この場合には、第１筐体２０を開いて使用状態とし、その後に各筐体２０、３０、４０の回動を行う必要があるため、突然のシャッターチャンスには間に合わない場合がある。
一方、第１筐体２０をスライド回動させて「片手撮り」状態に移行する場合には、直ちに「片手撮り」状態に移行してシャッターボタン４２ｂを押すことができるので、シャッターチャンスを逃さずに撮影することができる。
【００３０】
以上のように本発明の携帯端末１０によれば、第１筐体２０を回動自在に支持する第１連結軸２１と、第２筐体３０を回動自在に支持する第２連結軸３１とを回動自在に支持する第３筐体４０を設けるとともに、第１連結軸２１および第２連結軸３１を第３筐体４０に回動自在に設けることにより、第１筐体２０と第２筐体３０とは第３筐体４０を挟んで任意の角度に回動することができる。
これにより、右利きの人および左利きの人に対して、容易にカメラ撮影等の操作に適する姿勢をとることができる。
【００３１】
なお、本発明の携帯端末１０は、前述した実施形態に限定されるものでなく、適宜な変形，改良等が可能である。
例えば、前述した実施形態において、表示部２２を用いるために第１筐体２０を裏返しに収納した第２の収納状態から第１筐体２０をスライド回動して「片手撮り」状態に移行したが、第１筐体２０の外側面２０ｂの副表示部２４を画像表示等に用いることができる場合には、通常の収納状態である第１の収納状態から直接「片手撮り」状態に移行することも可能である。
【産業上の利用可能性】
【００３２】
以上のように、本発明に係る携帯端末は、第１筐体を回動自在に支持する第１連結軸と、第２筐体を回動自在に支持する第２連結軸とを回動自在に支持する第３筐体を設けるとともに、第１連結軸および第２連結軸を第３筐体に回動自在に設けることにより、第１筐体と第２筐体とは第３筐体を挟んで任意の角度に回動することができる。
これにより、右利きの人および左利きの人に対して、容易にカメラ撮影等の操作に適する姿勢をとることができるという効果を有し、例えば折りたたみ式の携帯電話器等折りたたむことができる携帯端末に等として有用である。
【図面の簡単な説明】
【００３３】
【図１】本発明の実施の形態にかかる携帯端末の展開状態を示す斜視図である。
【図２】収納状態を示す斜視図である。
【図３】第３筐体の斜視図である。
【図４】第１連結軸、第２連結軸、回動軸の関係を示す側面図である。
【図５】（Ａ）第１連結軸、第２連結軸、回動軸の関係を示す側面図、（Ｂ）第１連結軸、第２連結軸、回動軸の関係を示す平面図、（Ａ）第１連結軸、第２連結軸、回動軸の関係を示す斜視図である。
【図６】「自分撮り」状態を示す斜視図である。
【図７】「片手撮り」状態を示す斜視図である。
【図８】第１筐体を反転させた第２の収納状態を示す斜視図である。
【図９】（Ａ）〜（Ｄ）は、右手のみで収納状態から一度に「片手撮り」状態に移行する場合の行程を示す斜視図である。
【図１０】（Ａ）〜（Ｄ）は、左手のみで収納状態から一度に「片手撮り」状態に移行する場合の行程を示す斜視図である。
【図１１】従来の携帯端末を示す分解斜視図である。
【符号の説明】
【００３４】
１０  携帯端末
２０  第１筐体
２１  第１連結軸
３０  第２筐体
３１  第２連結軸
４０  第３筐体
４１  回動軸
４２  撮像手段
４２ａ  レンズ
４２ｂ  シャッターボタン
θ  挟み角度
【図１】
2006086811.tif 000003
【図２】
2006086811.tif 000004
【図３】
2006086811.tif 000005
【図４】
2006086811.tif 000006
【図５】
2006086811.tif 000007
【図６】
2006086811.tif 000008
【図７】
2006086811.tif 000009
【図８】
2006086811.tif 000010
【図９】
2006086811.tif 000011
【図１０】
2006086811.tif 000012
【図１１】
2006086811.tif 000013